(57)【要約】【課題】ユーザがより多様なコンテンツを選択させることができるようにコンテンツの提示を行うことができるようにする。【解決手段】第１中継コンテンツ決定部４１は、ユーザ選択グループ内のコンテンツから第１中継コンテンツを決定し、第２中継コンテンツ決定部４２は、第１中継コンテンツのリンク先から第２中継コンテンツを決定し、終了コンテンツ決定部４３は、第２中継コンテンツの属するグループに属するコンテンツから、終了コンテンツを決定し、さらに、第２中継コンテンツから終了コンテンツまでのリンク経路を決定し、開始コンテンツ決定部４４は、第１中継コンテンツに基づいて開始コンテンツを設定し、コンテンツリスト構築部４５は、開始コンテンツから終了コンテンツまでリンク経路に沿ってリスト化し、コンテンツリストを構築する。本発明は、情報処理装置に適用することができる。【選択図】図１
2007233926.tif 000002
【特許請求の範囲】
【請求項１】
コンテンツ自身の特徴情報をリンクとして互いに関連付けられ、かつ、各コンテンツが所定の方法でグループ単位に分割されて管理されているコンテンツ群より、ユーザに選択させるコンテンツを推薦する情報処理装置であって、
前記コンテンツ群における複数の前記グループの中から、前記ユーザのこれまでの選択に基づく、前記コンテンツの推薦の基準となる基準グループを決定するグループ決定手段と、
前記グループ決定手段により決定された前記基準グループに属するコンテンツおよび前記基準グループ以外の他のグループに属するコンテンツに関する情報を含むコンテンツリストを作成するコンテンツリスト作成手段と、
前記コンテンツリスト作成手段により作成された前記コンテンツリストに含まれる前記コンテンツに関する情報を提示するコンテンツ提示手段と
を備える情報処理装置。
【請求項２】
前記グループ決定手段は、前記ユーザが過去に選択したコンテンツを含むグループを前記基準グループに決定する
請求項１に記載の情報処理装置。
【請求項３】
前記グループ決定手段は、前記ユーザが現在選択しているコンテンツを含むグループを前記基準グループに決定する
請求項１に記載の情報処理装置。
【請求項４】
前記コンテンツリスト作成手段は、
前記基準グループに属し、前記他のグループに属するコンテンツに対して前記リンクを有するコンテンツを第１中継コンテンツとして決定する第１中継コンテンツ決定手段と、
前記他のグループに属する、前記第１中継コンテンツのリンク先のコンテンツを第２中継コンテンツとして決定する第２中継コンテンツ決定手段と、
第２中継コンテンツの属する前記他のグループに属するコンテンツを終了コンテンツとして決定する終了コンテンツ決定手段と、
前記ユーザが選択したことのある、前記基準グループに属するコンテンツであって、前記第１中継コンテンツからのリンク経路長が最短のコンテンツを開始コンテンツとして決定する開始コンテンツ決定手段と
を備える請求項１に記載の情報処理装置。
【請求項５】
前記第１中継コンテンツ決定手段は、前記基準グループに属し、前記他のグループに属するコンテンツに対して前記リンクを有するコンテンツのうち、リンク数が最も多いコンテンツを前記第１中継コンテンツとして決定し、
前記第２中継コンテンツ決定手段は、前記他のグループに属する、前記第１中継コンテンツのリンク先のコンテンツのうち、リンク数が最も多いコンテンツを前記第２中継コンテンツとして決定し、
前記終了コンテンツ決定手段は、第２中継コンテンツの属する前記他のグループに属するコンテンツのうち、リンク数が最も多いコンテンツを前記終了コンテンツとして決定する
請求項４に記載の情報処理装置。
【請求項６】
前記第１中継コンテンツ決定手段は、前記基準グループに属し、前記他のグループに属するコンテンツに対して前記リンクを有するコンテンツのうち、該コンテンツの存在が、他のコンテンツ間における前記リンクの結びつきに及ぼす影響度の大きさを重要度として示すコンテンツ媒介中心性の値が大きいコンテンツを前記第１中継コンテンツとして決定し、
前記第２中継コンテンツ決定手段は、前記他のグループに属する、前記第１中継コンテンツのリンク先のコンテンツのうち、前記コンテンツ媒介中心性の値が大きいコンテンツを前記第２中継コンテンツとして決定し、
前記終了コンテンツ決定手段は、第２中継コンテンツの属する前記他のグループに属するコンテンツのうち、前記コンテンツ媒介中心性の値が大きいコンテンツを前記終了コンテンツとして決定する
請求項４に記載の情報処理装置。
【請求項７】
前記コンテンツ提示手段は、前記コンテンツリストに含まれる全てのコンテンツに関する情報を提示する
請求項１に記載の情報処理装置。
【請求項８】
前記コンテンツ提示手段は、前記コンテンツリストに含まれる前記コンテンツに関する情報のうち、一部を提示する
請求項１に記載の情報処理装置。
【請求項９】
前記コンテンツ提示手段は、前記コンテンツに関する情報とともに、前記リンクに関する情報を提示する
請求項１に記載の情報処理装置。
【請求項１０】
前記ユーザによる前記コンテンツの選択に関するログ情報を作成するログ作成手段をさらに備え、
前記コンテンツリスト作成手段は、前記ログ作成手段により作成された前記ログ情報に基づいて、前記コンテンツリストを作成する
請求項１に記載の情報処理装置。
【請求項１１】
前記推薦の対象となる前記コンテンツ群の各コンテンツに関するコンテンツ情報を作成するコンテンツ情報作成手段をさらに備え、
前記コンテンツリスト作成手段は、前記コンテンツ情報作成手段により作成された前記コンテンツ情報に基づいて、前記コンテンツリストを作成する
請求項１に記載の情報処理装置。
【請求項１２】
コンテンツ自身の特徴情報をリンクとして互いに関連付けられ、かつ、各コンテンツが所定の方法でグループ単位に分割されて管理されているコンテンツ群より、ユーザに選択させるコンテンツを推薦する情報処理方法において、
前記コンテンツ群における複数の前記グループの中から、前記ユーザのこれまでの選択に基づく、前記コンテンツの推薦の基準となる基準グループを決定し、
決定された前記基準グループに属するコンテンツおよび前記基準グループ以外の他のグループに属するコンテンツに関する情報を含むコンテンツリストを作成し、
作成された前記コンテンツリストに含まれる前記コンテンツに関する情報を提示する
ステップを実行する情報処理方法。
【請求項１３】
コンテンツ自身の特徴情報をリンクとして互いに関連付けられ、かつ、各コンテンツが所定の方法でグループ単位に分割されて管理されているコンテンツ群より、ユーザに選択させるコンテンツを推薦するプログラムにおいて、
前記コンテンツ群における複数の前記グループの中から、前記ユーザのこれまでの選択に基づく、前記コンテンツの推薦の基準となる基準グループを決定し、
決定された前記基準グループに属するコンテンツおよび前記基準グループ以外の他のグループに属するコンテンツに関する情報を含むコンテンツリストを作成し、
作成された前記コンテンツリストに含まれる前記コンテンツに関する情報を提示する
ステップをコンピュータに実行させるプログラム。
【請求項１４】
請求項１３に記載のプログラムが記録されている記録媒体。
【発明の詳細な説明】
【技術分野】
【０００１】
本発明は、情報処理装置および方法、プログラム並びに記録媒体に関し、特に、より効果的なコンテンツの推薦を行うことにより、ユーザに、より多様なコンテンツを選択させることができるようにした情報処理装置および方法、プログラム並びに記録媒体に関する。
【背景技術】
【０００２】
従来、例えばデータ配信や商品販売等のコンテンツの提供サービスにおいて、コンテンツの選択（ダウンロードや購入）をユーザ自身に任せておくと、ユーザの嗜好に応じて、選択するコンテンツのカテゴリに偏りが強く生じてしまい、選択の幅が狭くなるので、ユーザが飽きてしまうなどして、結果的に利用率の低下を招く恐れがある。また、コンテンツの稼働率も低下する恐れがある。
【０００３】
そこで、例えばユーザに対して新たなコンテンツを推薦し、選択を誘導する方法があった。しかしながら、ユーザの嗜好を考慮せずに任意のコンテンツを推薦しても、ユーザを誘導することができる可能性が低くなる。
【０００４】
そこで、例えば、ユーザ履歴（例えば、インターネットユーザのサイト閲覧履歴やクリック履歴など）に基づいて、過去のユーザの嗜好パターンが分析され、その分析結果に基づいて現在のユーザの嗜好を推測し、そのユーザが好みそうな商品や情報の推薦を行う方法や、行動パターンが似たユーザの商品や情報を推薦する協調フィルタリングを利用した推薦等の手法を利用する方法がある。
【０００５】
例えば、同じ番組を録画予約している２人のユーザのうち、一方のユーザがその番組と同時に録画予約しており、他方のユーザが録画予約していない他の番組を、その他方のユーザに推薦する等、ユーザの嗜好に合った情報を作成し、ユーザの嗜好に合った情報を提供する情報処理装置もある（例えば、特許文献１参照）。
【０００６】
このように分析結果を利用して販売促進活動等を行うことにより、アクセスの増加や売り上げの増大等の効果を期待することができる。
【特許文献１】特開２００５−５７７１３号公報
【発明の開示】
【発明が解決しようとする課題】
【０００７】
しかしながら、上述したような協調フィルタリングを利用する方法では、分析結果から異なるカテゴリのコンテンツが導き出されなければ、ユーザのコンテンツ選択の幅は広がらず、特定のカテゴリに限定されてしまう恐れがあった。逆に、分析結果から他のカテゴリのコンテンツを導き出すためには、そのような選択を行うユーザが多数存在する必要がある。つまり、マイナーなカテゴリからメジャーなカテゴリのコンテンツを推薦することは可能であっても、メジャーなカテゴリからマイナーなカテゴリのコンテンツを推薦することは困難であった。
【０００８】
また、上述した特許文献１の手法においても、２人のユーザの嗜好が一致または近似する場合、カテゴリが偏る可能性が高く、逆に、２人のユーザの嗜好が一致しない場合、コンテンツを推薦されたユーザが、その推薦に満足しない（推薦されたコンテンツを選択しない）可能性が高くなる恐れがあった。
【０００９】
また、一般的な流行に基づく推薦や特定の権威者等の推薦を行う方法も考えられるが、ユーザの嗜好と一致しない可能性が高く、さらに、推薦されたコンテンツと、ユーザが選択するコンテンツとの関連性も薄いため、動機付けが弱く、ユーザが、その推薦に満足しない（推薦されたコンテンツを選択しない）可能性が高くなる恐れがあった。
【００１０】
本発明は、このような状況に鑑みてなされたものであり、例えば論理的に推薦するコンテンツを選択し、その選択の根拠も示す等、より効果的なコンテンツの推薦を行うことにより、ユーザに、より多様なコンテンツを選択させることができるようにするものである。
【課題を解決するための手段】
【００１１】
本発明の一側面は、コンテンツ自身の特徴情報をリンクとして互いに関連付けられ、かつ、各コンテンツが所定の方法でグループ単位に分割されて管理されているコンテンツ群より、ユーザに選択させるコンテンツを推薦する情報処理装置であって、コンテンツ群における複数のグループの中から、ユーザのこれまでの選択に基づく、コンテンツの推薦の基準となる基準グループを決定するグループ決定手段と、グループ決定手段により決定された基準グループに属するコンテンツおよび基準グループ以外の他のグループに属するコンテンツに関する情報を含むコンテンツリストを作成するコンテンツリスト作成手段と、コンテンツリスト作成手段により作成されたコンテンツリストに含まれるコンテンツに関する情報を提示するコンテンツ提示手段とを備える情報処理装置である。
【００１２】
前記グループ決定手段は、ユーザが過去に選択したコンテンツを含むグループを基準グループに決定することができる。
【００１３】
前記グループ決定手段は、ユーザが現在選択しているコンテンツを含むグループを基準グループに決定することができる。
【００１４】
前記コンテンツリスト作成手段は、基準グループに属し、他のグループに属するコンテンツに対してリンクを有するコンテンツを第１中継コンテンツとして決定する第１中継コンテンツ決定手段と、他のグループに属する、第１中継コンテンツのリンク先のコンテンツを第２中継コンテンツとして決定する第２中継コンテンツ決定手段と、第２中継コンテンツの属する他のグループに属するコンテンツを終了コンテンツとして決定する終了コンテンツ決定手段と、ユーザが選択したことのある、基準グループに属するコンテンツであって、第１中継コンテンツからのリンク経路長が最短のコンテンツを開始コンテンツとして決定する開始コンテンツ決定手段とを備えることができる。
【００１５】
前記第１中継コンテンツ決定手段は、基準グループに属し、他のグループに属するコンテンツに対してリンクを有するコンテンツのうち、リンク数が最も多いコンテンツを第１中継コンテンツとして決定し、第２中継コンテンツ決定手段は、他のグループに属する、第１中継コンテンツのリンク先のコンテンツのうち、リンク数が最も多いコンテンツを第２中継コンテンツとして決定し、終了コンテンツ決定手段は、第２中継コンテンツの属する他のグループに属するコンテンツのうち、リンク数が最も多いコンテンツを終了コンテンツとして決定することができる。
【００１６】
前記第１中継コンテンツ決定手段は、基準グループに属し、他のグループに属するコンテンツに対してリンクを有するコンテンツのうち、該コンテンツの存在が、他のコンテンツ間におけるリンクの結びつきに及ぼす影響度の大きさを重要度として示すコンテンツ媒介中心性の値が大きいコンテンツを第１中継コンテンツとして決定し、第２中継コンテンツ決定手段は、他のグループに属する、第１中継コンテンツのリンク先のコンテンツのうち、コンテンツ媒介中心性の値が大きいコンテンツを第２中継コンテンツとして決定し、終了コンテンツ決定手段は、第２中継コンテンツの属する他のグループに属するコンテンツのうち、コンテンツ媒介中心性の値が大きいコンテンツを終了コンテンツとして決定することができる。
【００１７】
前記コンテンツ提示手段は、コンテンツリストに含まれる全てのコンテンツに関する情報を提示することができる。
【００１８】
前記コンテンツ提示手段は、コンテンツリストに含まれるコンテンツに関する情報のうち、一部を提示することができる。
【００１９】
前記コンテンツ提示手段は、コンテンツに関する情報とともに、リンクに関する情報を提示することができる。
【００２０】
前記ユーザによるコンテンツの選択に関するログ情報を作成するログ作成手段をさらに備え、コンテンツリスト作成手段は、ログ作成手段により作成されたログ情報に基づいて、コンテンツリストを作成することができる。
【００２１】
前記推薦の対象となるコンテンツ群の各コンテンツに関するコンテンツ情報を作成するコンテンツ情報作成手段をさらに備え、コンテンツリスト作成手段は、コンテンツ情報作成手段により作成されたコンテンツ情報に基づいて、コンテンツリストを作成することができる。
【００２２】
本発明の一側面は、コンテンツ自身の特徴情報をリンクとして互いに関連付けられ、かつ、各コンテンツが所定の方法でグループ単位に分割されて管理されているコンテンツ群より、ユーザに選択させるコンテンツを推薦する情報処理方法において、コンテンツ群における複数のグループの中から、ユーザのこれまでの選択に基づく、コンテンツの推薦の基準となる基準グループを決定し、決定された基準グループに属するコンテンツおよび基準グループ以外の他のグループに属するコンテンツに関する情報を含むコンテンツリストを作成し、作成されたコンテンツリストに含まれるコンテンツに関する情報を提示するステップを実行する情報処理方法である。
【００２３】
コンテンツ自身の特徴情報をリンクとして互いに関連付けられ、かつ、各コンテンツが所定の方法でグループ単位に分割されて管理されているコンテンツ群より、ユーザに選択させるコンテンツを推薦するプログラムにおいて、コンテンツ群における複数のグループの中から、ユーザのこれまでの選択に基づく、コンテンツの推薦の基準となる基準グループを決定し、決定された基準グループに属するコンテンツおよび基準グループ以外の他のグループに属するコンテンツに関する情報を含むコンテンツリストを作成し、作成されたコンテンツリストに含まれるコンテンツに関する情報を提示するステップをコンピュータに実行させることができる。
【００２４】
請求項１３に記載のプログラムが記録されている記録媒体とすることができる。
【００２５】
本発明の一側面においては、コンテンツ群における複数のグループの中から、ユーザのこれまでの選択に基づく、コンテンツの推薦の基準となる基準グループが決定され、決定された基準グループに属するコンテンツおよび基準グループ以外の他のグループに属するコンテンツに関する情報を含むコンテンツリストが作成され、作成されたコンテンツリストに含まれるコンテンツに関する情報が提示される。
【発明の効果】
【００２６】
本発明の側面によれば、情報を処理することができる。特に、コンテンツ等の推薦において、ユーザがより自然に新たなカテゴリのコンテンツを選択することができるように推薦を行うことにより、ユーザに、より多様なコンテンツを選択させることができる。これにより、ユーザを飽きさせず、サービスの利用率を向上させ、コンテンツの稼働率を向上させることができる。
【発明を実施するための最良の形態】
【００２７】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加されたりする発明の存在を否定するものではない。
【００２９】
本発明の一側面は、コンテンツ自身の特徴情報（例えば、図３のメタデータ１１１乃至メタデータ１１６）をリンクとして互いに関連付けられ、かつ、各コンテンツが所定の方法でグループ単位に分割されて管理されているコンテンツ群（例えば、図２のコンテンツ情報２２）より、ユーザ（例えば、図１のユーザ１）に選択させるコンテンツ（例えば、図２のコンテンツＡ１乃至コンテンツＡ５、コンテンツＢ１乃至コンテンツＢ６、並びに、コンテンツＣ１乃至コンテンツＣ３）を推薦する情報処理装置（例えば、図１のコンテンツ提示装置１０）であって、コンテンツ群における複数のグループ（例えば、図２のグループＡ、グループＢ、およびグループＣ）の中から、ユーザのこれまでの選択に基づく、コンテンツの推薦の基準となる基準グループ（例えば、図２のグループＡ）を決定するグループ決定手段（例えば、図１のユーザ選択グループ決定部３１）と、グループ決定手段により決定された基準グループに属するコンテンツおよび基準グループ以外の他のグループ（例えば、図２のグループＢ）に属するコンテンツに関する情報を含むコンテンツリストを作成するコンテンツリスト作成手段（例えば、図１のコンテンツリスト作成手段３２）と、コンテンツリスト作成手段により作成されたコンテンツリストに含まれるコンテンツに関する情報を提示するコンテンツ提示手段（例えば、図１のコンテンツ提示処理部３３）とを備える情報処理装置である。
【００３０】
前記コンテンツリスト作成手段は、基準グループに属し、他のグループに属するコンテンツに対してリンクを有するコンテンツ（例えば、図２のコンテンツＡ４）を第１中継コンテンツとして決定する第１中継コンテンツ決定手段（例えば、図１の第１中継コンテンツ決定部４１）と、他のグループに属する、第１中継コンテンツのリンク先のコンテンツ（例えば、図２のコンテンツＢ２）を第２中継コンテンツとして決定する第２中継コンテンツ決定手段（例えば、図１の第２中継コンテンツ決定部４２）と、第２中継コンテンツの属する他のグループに属するコンテンツ（例えば、図２のコンテンツＢ６）を終了コンテンツとして決定する終了コンテンツ決定手段（例えば、図１の終了コンテンツ決定部４３）と、ユーザが選択したことのある、基準グループに属するコンテンツであって、第１中継コンテンツからのリンク経路長が最短のコンテンツ（例えば、図２のコンテンツＡ１）を開始コンテンツとして決定する開始コンテンツ決定手段（例えば、図１の開始コンテンツ決定部４４）とを備えることができる。
【００３１】
前記ユーザによるコンテンツの選択に関するログ情報（例えば、図１のユーザログ２１）を作成するログ作成手段（例えば、図１５のログ作成部４２２）をさらに備え、コンテンツリスト作成手段は、ログ作成手段により作成されたログ情報に基づいて、コンテンツリストを作成することができる。
【００３２】
前記推薦の対象となるコンテンツ群の各コンテンツに関するコンテンツ情報（例えば、図１のコンテンツ情報２２）を作成するコンテンツ情報作成手段（例えば、図１６のコンテンツ管理部５２３）をさらに備え、コンテンツリスト作成手段は、コンテンツ情報作成手段により作成されたコンテンツ情報に基づいて、コンテンツリストを作成することができる。
【００３３】
本発明の一側面は、コンテンツ自身の特徴情報をリンクとして互いに関連付けられ、かつ、各コンテンツが所定の方法でグループ単位に分割されて管理されているコンテンツ群より、ユーザに選択させるコンテンツを推薦する情報処理方法において、コンテンツ群における複数のグループの中から、ユーザのこれまでの選択に基づく、コンテンツの推薦の基準となる基準グループを決定し（例えば、図５のステップＳ１）、決定された基準グループに属するコンテンツおよび基準グループ以外の他のグループに属するコンテンツに関する情報を含むコンテンツリストを作成し（例えば、図５のステップＳ２）、作成されたコンテンツリストに含まれるコンテンツに関する情報を提示する（例えば、図５のステップＳ３）ステップを実行する情報処理方法（図５の制御処理を含む情報処理方法）である。
【００３４】
次に、本発明を適用した実施の形態について、図面を参照して説明する。
【００３５】
図１は、本発明を適用したコンテンツ提示装置の構成例を示すブロック図である。
【００３６】
図１において、コンテンツ提示装置１０は、ユーザ１によって使用される情報処理装置であり、操作するユーザ１に対してコンテンツの推薦を行う装置である。コンテンツ提示装置１０は、ユーザ１に関する情報を有しており、そのユーザ情報に基づいて、予め登録されているコンテンツ群の中から、ユーザ１に推薦すべきコンテンツを選択し、そのコンテンツの推薦に関する情報をユーザ１に提示する。このとき、コンテンツ提示装置１０は、後述するように、ユーザがより自然に新たなカテゴリのコンテンツを選択することができるように推薦を行う。つまり、コンテンツ提示装置１０は、ユーザの興味を他のグループに遷移させることができる。この提示によりユーザ１は、購入する商品や、ダウンロードするコンテンツ等の選択の幅を広げる、すなわち、カテゴリの種類を増やすことができる。
【００３７】
なお、コンテンツとしては、どのようなものであっても良く、例えば、商品、配信データ、提供サービス、案内情報等であってもよい。コンテンツ群の各コンテンツは、後述するように、自分自身の特徴情報をリンクとして互いに関連付けられて管理されている。
【００３８】
コンテンツ提示装置１０は、制御部１１、ユーザインタフェース部１２、データベースインタフェース部１３、およびデータベース１４を有している。
【００３９】
制御部１１は、例えば、ユーザ１の要求を、ユーザインタフェース１２を介して取得すると、その要求に従って、コンテンツ群の中から推薦するコンテンツを選択し、選択したコンテンツに関する情報を推薦情報として、インタフェース１２を介してユーザ１に提示する。この推薦コンテンツの選択の際、制御部１１は、ユーザ１が推薦を受け入れやすいように、ユーザ１の嗜好に基づいた選択を行う。また、制御部１１は、ユーザ１の選択の幅が広がるように、ユーザ１が選択した、またはユーザ１が頻繁に選択するカテゴリ以外のカテゴリ（ユーザ１にとって新たな、若しくは珍しいカテゴリ）のコンテンツを推薦するように選択を行う。さらに、制御部１１は、ユーザ１が推薦方法に理解を示すことができるように、推薦コンテンツとともに、中継コンテンツの持つメタデータを順次利用することでその推薦の根拠も提示する。
【００４０】
制御部１１は、ユーザ選択グループ決定部３１、コンテンツリスト作成部３２、およびコンテンツ提示処理部３３を有している。ユーザ選択グループ決定部３１は、ユーザ１が選択したコンテンツの属するグループ、またはユーザ１が最も選択するグループであるユーザ選択グループを決定する。なお、後述するように、推薦の対象となるコンテンツは、例えばカテゴリ毎など、所定の単位でグループ化されている。つまり、コンテンツ群の各コンテンツは、所定の方法でグループ単位に分割されて管理されている。制御部１１は、コンテンツを推薦する際に、このグループを考慮して推薦するコンテンツの選択を行うことにより、ユーザ１が選択した、またはユーザ１が頻繁に選択するカテゴリ以外のカテゴリ（ユーザ１にとって新たな、若しくは珍しいカテゴリ）からコンテンツを推薦することができる。ユーザ選択グループ決定部３１は、データベース１４に記録されているユーザログ２１やコンテンツ情報２２等の情報を用いて、ユーザ選択グループを決定する。
【００４１】
コンテンツリスト作成部３２は、ユーザ選択グループ決定部３１により決定されたユーザ選択グループを基準として、推薦するコンテンツを複数選択してリスト化するなど、コンテンツリストの作成に関する処理を行う。コンテンツの詳細については後述するが、各コンテンツには、その特徴を示す、１つまたは複数の情報がメタデータとして付加されている。各コンテンツは、そのメタデータに含まれる「コンテンツの特徴を示す情報」が共通するもの同士がリンクとして関連付けられて管理される（リンクによりコンテンツ同士が結ばれている）。コンテンツリスト作成部３２は、このようなリンクに沿って、推薦すべきコンテンツを検索し、得られたコンテンツ、および、各コンテンツ間のリンクに関する情報を用いてコンテンツリストを作成する。
【００４２】
コンテンツリスト作成部３２は、第１中継コンテンツ決定部４１、第２中継コンテンツ決定部４２、終了コンテンツ決定部４３、開始コンテンツ決定部４４、およびコンテンツリスト構築部４５を有している。
【００４３】
第１中継コンテンツ決定部４１は、ユーザ選択グループ内における、外部リンクを有し、かつ、リンク数の最も多いコンテンツを検索し、それを第１中継コンテンツとして決定する。なお、詳細については後述する。
【００４４】
第２中継コンテンツ決定部４２は、第１中継コンテンツのリンク先であり、ユーザ選択グループ以外のグループに属し、かつ、そのリンク先の中でリンク数が最も多いコンテンツを検索し、それを第２中継コンテンツとして決定する。なお、詳細については後述する。
【００４５】
終了コンテンツ決定部４３は、第２中継コンテンツの属するグループにおいて、リンク数が最も多いコンテンツを検索し、それを終了コンテンツとして決定する。さらに、終了コンテンツ決定部４３は、第２中継コンテンツから終了コンテンツまでの経路（リンク経路）も決定する。なお、詳細については後述する。
【００４６】
開始コンテンツ決定部４４は、ユーザがこれまでに選択したコンテンツ群、または現在選択しているコンテンツのうち、第１中継コンテンツから、最も近い（リンク経路長が最短となる）コンテンツを開始コンテンツに設定する。
【００４７】
コンテンツリスト構築部４５は、以上のように決定されたコンテンツ群を、開始コンテンツから終了コンテンツまでリンク経路に沿ってリスト化し、コンテンツリストを構築する。
【００４８】
つまり、コンテンツリストは、開始コンテンツから、第１中継コンテンツおよび第２中継コンテンツを経て、終了コンテンツまでのリンク経路上のコンテンツ群のリストである。第１中継コンテンツとは、そのリンク経路の、ユーザ選択グループに含まれる最後のコンテンツである。第２中継コンテンツとは、そのリンク経路の、第１中継コンテンツの次のコンテンツである。
【００４９】
コンテンツ提示処理部３３は、コンテンツリスト作成部３２により作成されたコンテンツリストに基づいて、コンテンツの提示に関する処理を行う。例えば、コンテンツ提示処理部３３は、作成されたコンテンツリストそのもの、すなわち、推薦すべき全コンテンツ、およびそのリンクに関する情報等を全て提示することにより、ユーザ１に、推薦コンテンツだけでなく推薦の根拠も提示する処理を行う。この場合、ユーザ１は、推薦の経緯や根拠を容易に把握することができ、その推薦を受け入れやすくなる。また、複数のコンテンツをユーザ１に提示することもできる。また、例えば、コンテンツ提示処理部３３は、作成されたコンテンツリストの終了コンテンツのみを、最も推薦すべきコンテンツとしてユーザ１に対して提示する処理を行う。この場合、コンテンツ提示処理部３３は、提示する情報量が少なくすることができる。以上のように、コンテンツ提示処理部３３は、コンテンツリストに基づいて、その一部または全部を、ユーザインタフェース１２を介してユーザ１に提示させる。その提示方法は、状況に応じて切り換えることも可能である。
【００５０】
ユーザインタフェース部１２は、ユーザ１に対するインタフェース処理を行う処理部であり、例えば、ユーザ１が要求を入力するためのキーボードやマウス等の入力部や、制御部１１の処理によって推薦されるコンテンツに関する情報を、画像情報や音声情報としてユーザ１に提示するモニタやスピーカ等の出力部を有している。
【００５１】
データベースインタフェース部１３は、制御部１１に対してデータベース１４のインタフェース処理を行う。例えば、データベースインタフェース部１３は、制御部１１からの指示に基づいて、データベース１４に記憶されている各種データを取得し、それを要求元に供給する。
【００５２】
データベース１４は、例えばハードディスクやフラッシュメモリ等の記録媒体により構成される記憶部であり、ユーザによるコンテンツの選択に関するログ情報であるユーザログ２１、および、ユーザが選択可能な推薦対象のコンテンツに関する情報であるコンテンツ情報２２等の各種情報を記憶している。これにより、制御部１１は、任意のタイミングで、ユーザログ２１、およびコンテンツ情報４２等の各種情報を利用することができる。
【００５３】
ユーザログ２１は、過去の各ユーザのコンテンツ選択に関するログ情報である。換言すると、このユーザログ２１は、各ユーザの嗜好を示す情報でもある。例えば、ユーザ選択グループ決定部３１は、このユーザログ２１に基づいて、ユーザ１の好みのグループであるユーザ選択グループを決定する。コンテンツ情報２２は、ユーザが選択可能な各コンテンツに関する情報である。
【００５４】
図２および図３を参照して、コンテンツリスト作成部３２の動作について説明する。図２は、コンテンツ情報２２の例を示す図である。
【００５５】
図２に示される例の場合、コンテンツ情報２２には、コンテンツＡ１乃至コンテンツＡ５、コンテンツＢ１乃至コンテンツＢ６、並びに、コンテンツＣ１乃至コンテンツＣ３の情報が含まれている。
【００５６】
各コンテンツには、図３に示されるように、１つまたは複数のメタデータが付加されている。図３の例の場合、「コンテンツＡ４」のコンテンツ名１０１に対して、「活動的」、「前向き」、「明るい」、「穏やか」、「爽やか」、および「鮮やか」等の「コンテンツＡ４」の特徴を示すキーワードが、メタデータ１１１乃至メタデータ１１６として付加されている。このメタデータは、そのコンテンツの分類に利用することができるものであればどのようなものであってもよく、例えば、ジャンル、製作者、再生時間、またはデータ量等のコンテンツ自身の特徴情報であってもよいし、これ以外の情報であってもよい。また、各コンテンツ名に付加されるメタデータの数や種類も任意であり、コンテンツ毎に異なっていてもよい。
【００５７】
なお、以下においては、説明の簡略化のため、図３に示されるような、コンテンツの特徴を示すキーワードが各コンテンツにメタデータとして付加されているものとする。
【００５８】
図２に戻り、コンテンツ情報２２においては、このようなメタデータ（コンテンツの特徴情報）で、共通するものを有するコンテンツ同士がリンクとして結ばれている。つまり、各コンテンツは、コンテンツ自身の特徴情報をリンクとして互いに関連付けられて管理されている。図２においては、そのリンクがコンテンツ間を結ぶ直線で示されており、その共通するメタデータの内容（コンテンツの特徴）が括弧書きで示されている。
【００５９】
例えば、コンテンツＡ１とコンテンツＡ４は、ともに「前向き」というキーワードをメタデータとして有しており、コンテンツＡ１は、この「前向き」というリンクでコンテンツＡ４と結ばれている。
【００６０】
同様に、コンテンツＡ２は、「攻撃的」というリンクでコンテンツＡ３と、「刺激」というリンクでコンテンツＡ５と、それぞれ結ばれている。コンテンツＡ４は、さらに、「明るい」というリンクでコンテンツＡ５と、「穏やか」というリンクでコンテンツＢ１と、「爽やか」というリンクでコンテンツＢ２と、「鮮やか」というリンクでコンテンツＣ１と、それぞれ結ばれている。コンテンツＡ５は、さらに、「甘い」というリンクでコンテンツＣ１と結ばれている。
【００６１】
また、コンテンツＢ１は、さらに、「しみじみ」というリンクでコンテンツＢ６と結ばれている。コンテンツＢ２は、さらに、「哀愁」というリンクでコンテンツＢ３と、「お洒落」というリンクでコンテンツＢ４と結ばれている。コンテンツＢ４は、さらに、「しっとり」というリンクでコンテンツＢ６と結ばれている。コンテンツＢ５は、さらに、「大人」というリンクでコンテンツＢ６と結ばれている。
【００６２】
コンテンツＣ１は、さらに、「美」というリンクでコンテンツＣ２と結ばれている。コンテンツＣ２は、さらに、「綺麗」というリンクでコンテンツＣ３と結ばれている。
【００６３】
また、図２に示されるように、各コンテンツは、上述したメタデータの一部または全部によって分類され、共通するもの同士がグループ化されている。つまり、コンテンツ群の各コンテンツは、所定の方法でグループ単位に分割されて管理されている。図２の例の場合、コンテンツＡ１乃至コンテンツＡ５が、いずれも、「活動的」というキーワードをメタデータとして有しており、このキーワードによって「グループＡ」としてグループ化されている。同様に、コンテンツＢ１乃至コンテンツＢ６は、「落ち着き」というキーワードによって「グループＢ」としてグループ化されており、コンテンツＣ１乃至コンテンツＣ３は、「美しい」というキーワードによって「グループＣ」としてグループ化されている。
【００６４】
このようなコンテンツ群に対して、ユーザログ２１により、コンテンツＡ１乃至コンテンツＡ３が、ユーザ１がこれまでに選択したことのあるコンテンツであるユーザ選択コンテンツ９１として指定されているとする。すなわち、ユーザ１が、以前にコンテンツＡ１乃至コンテンツＡ３を選択（購入や指定等）を行ったことを示すログ情報が、ユーザログ２１に含まれているとする。
【００６５】
このようなユーザログ２１やコンテンツ情報２２に基づいて、図１のユーザ選択グループ決定部３１は、ユーザ選択グループを決定する。図２の例の場合、ユーザ選択コンテンツ９１が含まれるグループＡがユーザ選択グループに決定される。
【００６６】
なお、ユーザ選択コンテンツ９１が複数のグループに含まれる場合、ユーザ選択グループ決定部３１は、例えば、ユーザ１によるアクセス数が最多のコンテンツを含むグループ、ユーザ選択コンテンツ９１のコンテンツ数が最多のグループ、ユーザ選択コンテンツ９１の合計アクセス数が最多のグループ等、所定の基準に基づいて最適なグループを１つ選択する。この基準はどのようなものであってもよい。
【００６７】
ユーザ選択グループが決定されると、コンテンツリスト作成部３２の第１中継コンテンツ決定部４１は、そのグループ（グループＡ）内から、グループＡ以外のコンテンツへのリンクである外部リンクを有し、かつ、リンク数が最大のコンテンツを検索し、そのコンテンツを第１中継コンテンツとして決定する。図２の例においては、コンテンツＡ４が、コンテンツＢ１、コンテンツＢ２、またはコンテンツＣ１とのリンクを外部リンクとして有し、かつ、その有するリンク数（５本）が、グループＡ内の外部リンクを有するコンテンツの中で最大であるので、第１中継コンテンツとして決定される。
【００６８】
第１中継コンテンツが決定されると、第２中継コンテンツ決定部４２は、第１中継コンテンツであるコンテンツＡ４の外部リンク先の中から、リンク数が最大のコンテンツを選択する。図２の例の場合、外部リンク先としてコンテンツＢ１、コンテンツＢ２、およびコンテンツＣ１が存在し、これらのうち、リンク数（３本）が最大のコンテンツＢ２が第２中継コンテンツとして決定される。
【００６９】
つまり、この第１中継コンテンツおよび第２中継コンテンツは、このようなリンクを辿ったコンテンツの推薦方法において、推薦するコンテンツのグループ（カテゴリ）を、ユーザ選択グループ外へより確実かつスムーズに遷移させるためのものである。換言すると、コンテンツ提示装置１０は、コンテンツリスト作成部３２が、第１中継コンテンツおよび第２中継コンテンツを決定することにより、より確実かつスムーズに、ユーザの興味を他のカテゴリに遷移させるようにコンテンツの推薦を行うことができる。
【００７０】
第２中継コンテンツが決定されると、終了コンテンツ決定部４３は、第２中継コンテンツが属するグループに属するコンテンツ群の中からリンク数が最大のコンテンツを検索し、それを終了コンテンツとして選択する。終了コンテンツ決定部４３は、さらに、第２中継コンテンツから終了コンテンツまでを最短で結ぶようにリンク経路を設定する。図２の例の場合、第２中継コンテンツはグループＢに属しているので、終了コンテンツ決定部４３は、グループＢの中でリンク数（３本）が最大のコンテンツＢ６を終了コンテンツとして選択する。そして、終了コンテンツ決定部４３は、第２中継コンテンツであるコンテンツＢ２と、終了コンテンツであるコンテンツＢ６とを、コンテンツＢ４を介して結ぶリンク経路を設定する。
【００７１】
また、開始コンテンツ決定部４４は、ユーザ選択コンテンツ９１に含まれるコンテンツのうち、第１中継コンテンツへのリンク経路長が最短となるコンテンツを検索し、それを開始コンテンツとして決定する。開始コンテンツ決定部４４は、さらに、開始コンテンツから第１中継コンテンツまでを最短で結ぶようにリンク経路を設定する。図２の例の場合、開始コンテンツ決定部４４は、コンテンツＡ１乃至コンテンツＡ３のうち、コンテンツＡ４に最も近いコンテンツＡ１を開始コンテンツとして決定する。そして、開始コンテンツ決定部４４は、開始コンテンツであるコンテンツＡ１と、第１中継コンテンツであるコンテンツＡ４とを結ぶ「前向き」のリンクをリンク経路として設定する。
【００７２】
以上のようにして、開始コンテンツ（コンテンツＡ１）から終了コンテンツ（コンテンツＢ６）までのリンク経路が完成する。コンテンツリスト構築部４５は、このリンク経路上に存在するコンテンツ群をリスト化し、コンテンツリストを構築する。図２の例の場合、コンテンツＡ１、コンテンツＡ４、コンテンツＢ２、コンテンツＢ４、およびコンテンツＢ６に関する情報、並びに、それらの間を結ぶリンクに関する情報が、リスト化される。
【００７３】
コンテンツ提示処理部３３は、以上のように作成されたコンテンツリスト、またはこのコンテンツリストより作成される情報を、表データや画像データ等として入出力インタフェース１２を介してユーザ１に提示する。
【００７４】
このように、コンテンツ提示装置１０は、ユーザ１に対して、推薦するコンテンツとして、リンク経路上のコンテンツを提示するとともに、その推薦の根拠として、リンク経路を構成する各リンクやコンテンツを提示する。図２の例の場合、コンテンツ提示装置１０は、推薦コンテンツとして、コンテンツＡ４、コンテンツＢ２、コンテンツＢ４、およびコンテンツＢ６を提示するとともに、その推薦の根拠として、リンク経路を構成する、「前向き」のリンク、「爽やか」のリンク、「お洒落」のリンク、および「しっとり」のリンク、並びに、コンテンツＡ４、コンテンツＢ２、コンテンツＢ４を提示する。
【００７５】
すなわち、コンテンツ提示装置１０は、ユーザ１が推薦を受け入れやすいように、ユーザ１の嗜好に基づいて、ユーザ選択コンテンツを開始コンテンツとする推薦を行うことができる。また、コンテンツ提示装置１０は、ユーザ１の選択の幅が広がるように、ユーザ選択グループ以外のグループのコンテンツＢ６を終了コンテンツとする推薦を行うことができる。さらに、コンテンツ提示装置１０は、ユーザ１が推薦方法に理解を示し、容易にその推薦を受け入れることができるように、推薦コンテンツとともに、リンク経路上のコンテンツのメタ情報を利用したその推薦の根拠も提示することができる。
【００７６】
つまり、コンテンツ提示装置１０は、ユーザ１に対して、より自然に新たなカテゴリのコンテンツを選択させるような推薦を行うことができ、ユーザ１の選択の幅を広げることができる。また、これにより、コンテンツ提示装置１０は、推薦対象の各コンテンツの稼働率を向上させることができる。
【００７７】
図４は、図１のコンテンツリスト作成部３２の詳細な構成例を示すブロック図である。
【００７８】
図４において、コンテンツリスト作成部３２の第１中継コンテンツ決定部４１は、ユーザ選択グループに属するコンテンツの中から第１中継コンテンツの候補となるコンテンツを探索する候補探索部１２１、第１中継コンテンツの各候補のリンク数を算出するリンク数算出部１２２、および、リンク数が最多の候補を第１中継コンテンツとして選択するコンテンツ選択部１２３を有している。
【００７９】
候補探索部１２１は、コンテンツ情報２２を参照し、ユーザ選択グループに属するコンテンツの中から外部リンクを有するコンテンツを探索し、それを第１中継コンテンツの候補とする。リンク数算出部１２２は、コンテンツ情報２２を参照し、候補探索部１２１により探索された各コンテンツが有するリンク数を算出する。コンテンツ選択部１２３は、リンク数算出部１２３による算出結果に基づいて、リンク数が最多のコンテンツを第１中継コンテンツとして選択する。
【００８０】
第２中継コンテンツ決定部４２は、第１中継コンテンツの外部リンク先となる各コンテンツが有するリンク数を算出するリンク数算出部１３１、および、リンク数が最多の外部リンク先を第２中継コンテンツとして選択するコンテンツ選択部１３２を有している。
【００８１】
リンク数算出部１３１は、コンテンツ情報２２を参照し、第１中継コンテンツの外部リンク先となる各コンテンツが有するリンク数をそれぞれ算出する。コンテンツ選択部１３２は、リンク数算出部１３１による算出結果に基づいて、リンク数が最多のコンテンツを第２中継コンテンツとして選択する。
【００８２】
終了コンテンツ決定部４３は、第２中継コンテンツの属するグループに属する各コンテンツのリンク数を算出するリンク数算出部１４１、終了コンテンツを選択するコンテンツ選択部１４２、および、第２中継コンテンツから終了コンテンツまでのリンク経路を設定するリンク経路設定部１４３を有している。
【００８３】
リンク数算出部１４１は、コンテンツ情報２２を参照し、第２中継コンテンツが属するグループに属する各コンテンツが有するリンク数をそれぞれ算出する。コンテンツ選択部１４２は、リンク数算出部１４１による算出結果に基づいて、リンク数が最多のコンテンツを終了コンテンツとして選択する。リンク経路設定部１４３は、第２中継コンテンツから終了コンテンツまでのコンテンツおよびリンクからなるリンク経路を設定する。
【００８４】
次に、各部により実行される各処理の流れの例について説明する。
【００８５】
最初に、図５のフローチャートを参照して、制御処理の流れの例を説明する。
【００８６】
制御処理が開始されると、ステップＳ１において、ユーザ選択グループ決定部３１は、ユーザ選択グループを決定する。ステップＳ２において、コンテンツリスト作成部３２は、ステップＳ１において決定されたユーザ選択グループを用いて、コンテンツリストを作成する。ステップＳ３において、コンテンツ提示処理部３３は、ステップＳ２において作成されたコンテンツリストに基づいて、推薦コンテンツやその推薦の根拠等をユーザ１に提示し、制御処理を終了する。
【００８７】
次に、図６のフローチャートを参照して、図５のステップＳ２において実行されるコンテンツリスト作成処理の流れの例を説明する。
【００８８】
コンテンツリスト作成処理が開始されると、ステップＳ２１において、第１中継コンテンツ決定部４１は、ユーザ選択グループ内より第１中継コンテンツを決定する。ステップＳ２２において、第２中継コンテンツ決定部４２は、ユーザ選択グループ以外のグループより第２中継コンテンツを決定する。ステップＳ２３において、終了コンテンツ決定部４３は、第２中継コンテンツのグループより終了コンテンツを決定する。ステップＳ２４において、開始コンテンツ決定部４４は、ユーザログ２１および第１中継コンテンツに基づいて、ユーザ選択グループ内より開始コンテンツを決定する。ステップＳ２５において、コンテンツリスト構築部４５は、開始コンテンツから終了コンテンツまでの経路上のコンテンツリストを構築する。コンテンツリストが構築されると、コンテンツリスト作成部３２は、処理を図５のステップＳ２に戻し、それ以降の処理を実行させる。
【００８９】
次に、図７のフローチャートを参照して、図６のステップＳ２１において実行される第１中継コンテンツ決定処理の流れの例を説明する。
【００９０】
第１中継コンテンツ決定処理が開始されると、ステップＳ４１において、候補探索部１２１は、第１中継コンテンツの候補として、外部リンクを有するコンテンツを探索する。ステップＳ４２において、リンク数算出部１２２は、各候補のリンク数を算出する。ステップＳ４３において、コンテンツ選択部１２３は、候補の内、リンク数が最も多いコンテンツを第１中継コンテンツとして選択する。第１中継コンテンツが選択されると、第１中継コンテンツ決定部４１は、第１中継コンテンツ決定処理を終了し、処理を、図６のステップＳ２１に戻し、それ以降の処理を実行させる。
【００９１】
次に、図８のフローチャートを参照して、図６のステップＳ２２において実行される第２中継コンテンツ決定処理の流れの例を説明する。
【００９２】
第２中継コンテンツ決定処理が開始されると、ステップＳ６１において、リンク数算出部１３１は、第１中継コンテンツの外部リンク先のコンテンツのリンク数をそれぞれ算出する。ステップＳ６２において、コンテンツ選択部１３２は、それらのコンテンツの内、リンク数が最も多いコンテンツを第２中継コンテンツとして選択する。第２中継コンテンツが選択されると、第２中継コンテンツ決定部４２は、第２中継コンテンツ決定処理を終了し、処理を、図６のステップＳ２２に戻し、それ以降の処理を実行させる。
【００９３】
図９のフローチャートを参照して、図６のステップＳ２３において実行される終了コンテンツ決定処理の流れの例を説明する。
【００９４】
終了コンテンツ決定処理が開始されると、ステップＳ８１において、リンク数算出部１４１は、第２中継コンテンツのグループの各コンテンツのリンク数をそれぞれ算出する。ステップＳ８２において、コンテンツ選択部１４２は、それらのコンテンツの内、リンク数が最も多いコンテンツを終了コンテンツとして選択する。ステップＳ８３において、リンク経路設定部１４３は、第２中継コンテンツから終了コンテンツまでのリンク経路を設定する。リンク経路が設定されると、終了コンテンツ決定部４３は、終了コンテンツ決定処理を終了し、処理を、図６のステップＳ２３に戻し、それ以降の処理を実行させる。
【００９５】
以上のように、コンテンツ提示装置１０は、ユーザがより自然に新たなカテゴリのコンテンツを選択することができるように推薦を行うことができ、ユーザに、より多様なコンテンツを選択させることができる。これにより、コンテンツ提示装置１０は、ユーザを飽きさせず、サービスの利用率を向上させ、コンテンツの稼働率を向上させることができる。
【００９６】
なお、以上においては、終了コンテンツが第２中継コンテンツ同じグループの、リンク数が最大のコンテンツであるとして説明したが、これに限らず、第２中継コンテンツと終了コンテンツは、ユーザ選択グループ以外のグループであればどのグループに属するコンテンツであってもよく、互いに異なるカテゴリに属していてもよい。また、終了コンテンツは、どのような特長を有するコンテンツであってもよく、リンク数が最大であること以外にも、例えば、人気度が最も高いコンテンツであってもよいし、第２中継コンテンツのリンク先のコンテンツのいずれかであってもよいし、外部リンクを有するコンテンツのいずれかであってもよい。また、例えば、外部リンクを有し、かつ、人気度が最も高いコンテンツというように、複数の条件により終了コンテンツが特定されるようにしてもよい。
【００９７】
なお、この条件の種類により、コンテンツ提示装置１０は、推薦するコンテンツの特徴を制御することができる。例えば、上述したようにリンク数の多いコンテンツを終了コンテンツとすることにより、コンテンツ提示装置１０は、他のコンテンツと共通点の多い、より一般的なコンテンツをユーザに提示することができる。
【００９８】
また、以上においては、コンテンツ提示装置１０が、操作者であるユーザ１に対してコンテンツの推薦を行う、すなわち、ユーザ１自身のログ情報に基づいて推薦を行うように説明したが、コンテンツ提示装置１０の操作者とコンテンツの推薦の対象者は一致しなくてもよい。例えば、操作者であるユーザ１が、他のユーザに推薦すべきコンテンツの情報を要求し、コンテンツ提示装置１０が、その要求に応じて、他のユーザを対象者とする推薦情報をユーザ１に提示するようにしてもよい。
【００９９】
さらに、以上においては第１中継コンテンツ、第２中継コンテンツ、および終了コンテンツが、リンク数によって決定されるように説明したが、これに限らず、どのような条件により決定されるようにしてもよい。例えば、リンク数の代わりに、他のコンテンツへの影響度を示すコンテンツ媒介中心性が用いられるようにしてもよい。
【０１００】
コンテンツ媒介中心性について具体的に説明する。例えば、図２に示されるコンテンツ情報２２において、コンテンツＸのコンテンツ媒介中心性は、コンテンツＸの他の任意の２つのコンテンツ間を、リンクに沿って最短パスで結ぶときに、その最短パスがコンテンツＸを経由する割合の大きさを示すパラメータである。つまり、コンテンツ媒介中心性は、そのコンテンツの存在が、他のコンテンツ間の結びつきに及ぼす影響度の大きさを重要度として示すパラメータである。
【０１０１】
例えば、図２において、コンテンツＡ３が削除されても、コンテンツＡ３以外のコンテンツ間のリンクには大きな影響はないが、コンテンツＡ４が削除されると、グループＢの各コンテンツと、グループＡやグループＣの各コンテンツとのリンクが切れてしまう。つまり、コンテンツＡ４が削除されると、コンテンツＡ１を開始コンテンツとしたときに、グループＢのコンテンツが推薦されなくなってしまう等、コンテンツＡ３の場合と比べてその影響度は大きい。換言すると、このようなコンテンツの推薦において、コンテンツ媒介中心性の値が大きいコンテンツほど重要なコンテンツといえる。
【０１０２】
このように、コンテンツ媒介中心性は、上述したようなコンテンツ情報のリンクを利用した推薦コンテンツの選択において、そのコンテンツの存在が、他のコンテンツ間の結びつきに及ぼす影響度の大きさを重要度として示す。なお、このコンテンツ媒介中心性の大きさは、コンテンツ間のリンクの結びつき方によって変化するため、リンク数に必ずしも比例しない。
【０１０３】
コンテンツ媒介中心性の値について、より具体的に説明する。所定のノードｎiのコンテンツ媒介中心性Ce（ｎi）は、以下の式（１）により算出される。
【０１０４】
【数１】
2007233926.tif 000003
【０１０５】
なお、式（１）において、ｎは、対象となるノードｎi以外の２つのノードの組み合わせの数を示しており、ｎstは、ノードｎi以外の２つのノードであるノードｓとノードｔの間の、パス長が最も短いパス（最短パス）の本数を示しており、ｇi(st)は、ｎstのうち、ノードｎiを通過するパスの本数を示している。ただし、値ｓは値ｔより小さい。
【０１０６】
つまり、ノードｎiのコンテンツ媒介中心性Ce（ｎi）は、ノードｓとノードｔ間の最短パスのうち、ノードｎiを通過するパスの割合の、全てのノードｓとノードｔの組み合わせの平均値を示す。
【０１０７】
例えば、図２のコンテンツＡ３とコンテンツＡ４のコンテンツ媒介中心性を比較する。
【０１０８】
図２においてコンテンツは全部で１４個存在するので、ｎ＝７８（通り）となる。また、いずれの組み合わせも最短パスは１本ずつである。コンテンツＡ３について考えるとき、コンテンツＡ３以外の２つのノード間の最短パスがコンテンツＡ３を通過することはない。従って、コンテンツＡ３のコンテンツ媒介中心性は、Ce（Ａ３）＝０となる。これに対して、コンテンツＡ４について考えるとき、最短パスがコンテンツＡ４を通過するコンテンツの組み合わせは、全部で５７通り存在する。従って、コンテンツＡ４のコンテンツ媒介中心性は、Ce（Ａ３）＝５７／７８＝０．７３１となる。従って、コンテンツＡ４の方が、コンテンツＡ３より、コンテンツ媒介中心性の値が大きく、この推薦コンテンツの選択においては、より重要なコンテンツということになる。
【０１０９】
図１０は、図１のコンテンツリスト作成部３２の他の構成例を示すブロック図である。
【０１１０】
図１０において、コンテンツリスト作成部２３２は、上述したようなコンテンツ媒介中心性を用いて第１中継コンテンツ、第２中継コンテンツ、および終了コンテンツを決定する。コンテンツリスト作成部２３２は、第１中継コンテンツ決定部２４１、第２中継コンテンツ２４３、終了コンテンツ決定部２４３、開始コンテンツ決定部４４、およびコンテンツリスト構築部４５を有している。すなわち、コンテンツリスト作成部２３２は、コンテンツリスト作成部３２の、第１中継コンテンツ決定部４１、第２中継コンテンツ４３、および終了コンテンツ決定部４３のそれぞれの代わりに、第１中継コンテンツ決定部２４１、第２中継コンテンツ２４２、および終了コンテンツ決定部２４３を有している。
【０１１１】
第１中継コンテンツ決定部２４１は、候補探索部１２１、媒介中心性算出部３２２、およびコンテンツ選択部１２３を有している。すなわち、第１中継コンテンツ決定部２４１は、第１中継コンテンツ決定部４１のリンク数算出部１２２の代わりに媒介中心性算出部３２２を有している。媒介中心性算出部３２２は、候補探索部１２１により探索された第１中継コンテンツの各候補について、式（１）を演算し、コンテンツ媒介中心性を算出する。コンテンツ選択部１２３は、各候補のコンテンツ媒介中心性を比較し、最も値の大きなコンテンツを第１中継コンテンツとして選択する。
【０１１２】
第２中継コンテンツ決定部２４２は、媒介中心性算出部３３１およびコンテンツ選択部１３２を有している。すなわち、第２中継コンテンツ決定部２４２は、第２中継コンテンツ決定部４２のリンク数算出部１３１の代わりに媒介中心性算出部３３１を有している。媒介中心性算出部３３１は、第１中継コンテンツの外部リンク先の各コンテンツについて、式（１）を演算し、コンテンツ媒介中心性を算出する。コンテンツ選択部１３２は、各外部リンク先のコンテンツのコンテンツ媒介中心性を比較し、最も値の大きなコンテンツを第２中継コンテンツとして選択する。
【０１１３】
終了コンテンツ決定部２４３は、媒介中心性算出部３４１、コンテンツ選択部１４２、およびリンク経路設定部１４３を有している。すなわち、終了コンテンツ決定部２４３は、終了コンテンツ決定部４３のリンク数算出部１４１の代わりに媒介中心性算出部３４１を有している。媒介中心性算出部３４１は、第２中継コンテンツが属するグループに属する各コンテンツについて、式（１）を演算し、コンテンツ媒介中心性を算出する。コンテンツ選択部１４２は、算出された各コンテンツのコンテンツ媒介中心性を比較し、最も値の大きなコンテンツを終了コンテンツとして選択する。リンク経路設定部１４３は、第２中継コンテンツから終了コンテンツまでの経路を設定する。
【０１１４】
以上のように、コンテンツリスト作成部２３２においては、媒介中心性算出部３２２、媒介中心性算出部３３１、または媒介中心性算出部３４１において、図１１に示されるように、適宜、各コンテンツのコンテンツ媒介中心性が算出される。
【０１１５】
以上のように、コンテンツ媒介中心性を利用することにより、コンテンツ提示装置１０は、上述したコンテンツ情報２２においてより重要なコンテンツをユーザ１に提示することができる。上述したように、コンテンツ媒介中心性の高いコンテンツは、コンテンツ情報２２において、より重要な位置に存在しており、そのコンテンツからより多様なコンテンツへの遷移が可能になる。つまり、そのコンテンツを開始コンテンツとするときの推薦コンテンツの特徴の幅が広がり、特定のカテゴリのコンテンツに収束する恐れが低い。また、ユーザ１自身が、このコンテンツからリンクを辿って他のコンテンツを導き出す際にも、その導き出される可能性の高いコンテンツの特徴の幅がより広くなる。すなわち、コンテンツ提示装置１０は、コンテンツ媒介中心性を利用することにより、ユーザ１によるコンテンツの選択の幅をより広くすることができる。
【０１１６】
次に、上述した処理の具体的な流れの例について説明する。
【０１１７】
図１２のフローチャートを参照して、図６のステップＳ２１において実行される第１中継コンテンツ決定処理の流れの、他の例を説明する。
【０１１８】
第１中継コンテンツ決定処理が開始されると、ステップＳ１０１において、候補探索部１２１は、第１中継コンテンツの候補として、外部リンクを有するコンテンツを探索する。ステップＳ１０２において、媒介中心性算出部３２２は、ステップＳ１０１において探索された各候補の媒介中心性を算出する。ステップＳ１０３において、コンテンツ選択部１２３は、候補の内、ステップＳ１０２において算出された媒介中心性が最も高いコンテンツを第１中継コンテンツとして選択する。第１中継コンテンツが選択されると、第１中継コンテンツ決定部２４１は、第１中継コンテンツ決定処理を終了し、処理を、図６のステップＳ２１に戻し、それ以降の処理を実行させる。
【０１１９】
次に、図１３のフローチャートを参照して、図６のステップＳ２２において実行される第２中継コンテンツ決定処理の流れの、他の例を説明する。
【０１２０】
第２中継コンテンツ決定処理が開始されると、ステップＳ１２１において、媒介中心性算出部３３１は、第１中継コンテンツの外部リンク先のコンテンツの媒介中心性をそれぞれ算出する。ステップＳ１２２において、コンテンツ選択部１３２は、それらのコンテンツの内、媒介中心性が最も高いコンテンツを第２中継コンテンツとして選択する。第２中継コンテンツが選択されると、第２中継コンテンツ決定部２４２は、第２中継コンテンツ決定処理を終了し、処理を、図６のステップＳ２２に戻し、それ以降の処理を実行させる。
【０１２１】
図１４のフローチャートを参照して、図６のステップＳ２３において実行される終了コンテンツ決定処理の流れの、他の例を説明する。
【０１２２】
終了コンテンツ決定処理が開始されると、ステップＳ１４１において、媒介中心性算出部３４１は、第２中継コンテンツのグループの各コンテンツの媒介中心性をそれぞれ算出する。ステップＳ１４２において、コンテンツ選択部１４２は、それらのコンテンツの内、媒介中心性が最も高いコンテンツを終了コンテンツとして選択する。ステップＳ１４３において、リンク経路設定部１４３は、第２中継コンテンツから終了コンテンツまでのリンク経路を設定する。リンク経路が設定されると、終了コンテンツ決定部２４３は、終了コンテンツ決定処理を終了し、処理を、図６のステップＳ２３に戻し、それ以降の処理を実行させる。
【０１２３】
以上においては、コンテンツ提示装置１０が、単体の装置として構成されるように説明したが、これに限らず、例えば、物品やチケット等の自動販売機、レジスタ、映像や音声のストリーミングサービスやダウンロードサービスを行う端末装置、交通情報や観光案内情報を提供する端末装置、カーナビゲーションシステム、携帯型電話機等、各種装置の一部として構成されるようにしてもよい。また、コンテンツ提示装置１０と同等の機能が、１つまたは複数の装置により実現されるようにしてもよい。さらに、所定の処理を行うネットワークシステムの一部または全部としてコンテンツ提示装置１０が構成されるようにしてもよい。
【０１２４】
図１５は、本発明を適用したネットワークシステムの構成例を示すブロック図である。
【０１２５】
図１５においてネットワークシステムは、ネットワーク４１０に接続されたコンテンツ配信サーバ４１１、端末装置４１２、および端末装置４１３により構成される。
【０１２６】
コンテンツ配信サーバ４１１は、端末装置４１２や端末装置４１３に対して、ネットワーク４１０を介して、コンテンツを配信するサーバであり、コンテンツの配信に関する処理を行う配信サービス処理部４２１、コンテンツ配信処理のログ情報を作成するログ作成部４２２、コンテンツの販売（配信）の促進に関する処理を行う販売促進処理部４２３、コンテンツ提示部４２４、データベースインタフェース部１３、およびデータベース１４を有している。
【０１２７】
つまり、コンテンツ配信サーバ４１１は、図１のコンテンツ提示装置１０のユーザインタフェース１２の代わりに、配信サービス処理部４２１、ログ作成部４２２、および販売促進処理部４２３を有している。なお、コンテンツ提示部４２４は、コンテンツ提示装置１０の制御部１１に対応し、制御部１１と同様の構成を有し、同様の処理を行うので、その詳細についての説明は省略する。
【０１２８】
配信サービス処理部４２１は、ネットワーク４１０を介して、端末装置４１２や端末装置４１３に対して、それらの要求に基づいて、コンテンツの配信サービスを行う処理部である。配信サービス処理部４２１は、コンテンツの配信に関する処理を行う配信処理部４３１、コンテンツの配信サービスに対する課金処理を行う課金処理部４３２、および、配信するコンテンツを記憶するコンテンツ記憶部４３３を有している。
【０１２９】
また、配信サービス処理部４２１は、その端末装置４１２や端末装置４１３からの要求、およびそれに対する処理内容等の情報をログ作成部４２２に供給する。ログ作成部４２２は、その情報に基づいて端末装置（またはそのユーザ）と配信したコンテンツに関するログ情報であるユーザログ２１を作成し、それをデータベース１４に記憶させる。配信されるコンテンツに関する情報からなるコンテンツ情報２２は、予めデータベース１４に記憶されている。
【０１３０】
つまり、データベース１４のユーザログ２１は、ログ作成部４２２において作成、または更新されるログ情報であり、コンテンツ配信に関する端末装置４１２や端末装置４１３からの要求に関するアクセス履歴を含む。
【０１３１】
つまり、このコンテンツ配信サーバ４１１においては、ユーザログ２１がログ作成部４２２により更新される。したがって、コンテンツ提示部４２４は、このような最新のログ情報２１に基づいて、上述した場合と同様に、コンテンツの推薦情報を作成することができる。
【０１３２】
販売促進処理部４２３は、例えば、配信サービス処理部４２１が配信するコンテンツの推薦情報を作成し、それを、端末装置４１２や端末装置４１３（それらのユーザ）に対して通知する。
【０１３３】
例えば、端末装置４１２は、ユーザ指示に基づいて、コンテンツ配信サーバ４１１にアクセスし、配信するコンテンツを指定するためのコンテンツ一覧情報をダウンロードし、それをユーザに提示する。端末装置４１２のユーザは、その一覧の中から配信させるコンテンツを選択し、指示する。端末装置４１２は、その要求に基づいて、選択されたコンテンツの配信をコンテンツ配信サーバ４１１に要求する。配信サービス処理部４２１は、その要求に基づいて、指定されたコンテンツの配信処理を行う。このような端末装置４１２のアクセスの際に、配信サービス処理部４２１は、例えば、コンテンツ一覧情報とともに、販売促進処理部４２３より供給されるコンテンツの推薦情報を端末装置４１２に供給する。これにより端末装置４１２は、コンテンツ一覧とともに、その推薦情報をユーザに提示することができる。
【０１３４】
このようにすることにより、販売促進処理部４２３は、端末装置に対して、ユーザに、より多様なコンテンツを選択させることができるように、より効果的な販売促進活動を行うことができる。
【０１３５】
また、コンテンツ情報２２も、ユーザログ２１と同様に、作成したり更新したりすることができるようにしてもよい。
【０１３６】
図１６は、本発明を適用したネットワークシステムの、他の構成例を示すブロック図である。
【０１３７】
図１６においてネットワークシステムは、ネットワーク５１０に接続されたコンテンツ授受サーバ５１１、端末装置５１２、および端末装置５１３により構成される。
【０１３８】
コンテンツ授受サーバ５１１は、端末装置５１２や端末装置５１３より供給されるコンテンツを一時的に記憶したり、その記憶しているコンテンツを端末装置５１２や端末装置５１３に対して供給したりするサービスを提供する装置である。コンテンツ授受サーバ５１１は、端末装置５１２や端末装置５１３より供給されるコンテンツを取得するコンテンツ取得部５２１、供給されたコンテンツを一時的に記憶するコンテンツ記憶部５２２、コンテンツの取得に応じてコンテンツの管理情報であるコンテンツ情報２２を更新するコンテンツ管理部５２３、端末装置５１２や端末装置５１３に対してコンテンツの供給を行うコンテンツ供給部５２４、端末装置５１２や端末装置５１３からのアクセスに関するログ情報を作成するログ作成部５２５、コンテンツ記憶部が記憶しているコンテンツの推薦情報をコンテンツ供給部５２４に供給する情報提供部５２６、コンテンツの推薦情報を作成するコンテンツ提示部５２７、データベースインタフェース部１３、およびデータベース１４を有している。
【０１３９】
データベース１４のユーザログ２１は、ログ作成部５２５において作成されるログ情報であり、コンテンツ供給に関する端末装置５１２や端末装置５１３からの要求に関するアクセス履歴を含む。コンテンツ情報２２は、コンテンツ管理部５２３において更新される、コンテンツ記憶部５２２に記憶されているコンテンツに関する情報である。
【０１４０】
つまり、このコンテンツ授受サーバ５１１においては、ユーザログ２１がログ作成部５２５により更新されるとともに、コンテンツ情報２２もコンテンツ管理部５２３により更新される。コンテンツ提示部５２７は、このような最新のログ情報２１やコンテンツ情報２２に基づいて、上述した場合と同様に、コンテンツの推薦情報を作成することができる。
【０１４１】
コンテンツ授受サーバ５１１のコンテンツ供給部５２４は、例えば、端末装置５１２や端末装置５１３が、ダウンロードするコンテンツを選択するために要求するコンテンツ記憶部５２２に記憶されているコンテンツの一覧情報とともに、コンテンツ提示部５２７において作成されたコンテンツの推薦情報を提供する。これにより端末装置５１２や端末装置５１３は、コンテンツ一覧とともに、その推薦情報をユーザに提示することができる。
【０１４２】
このようにすることにより、情報提供部５２６は、端末装置に対して、ユーザに、より多様なコンテンツを選択させることができるように、より効果的な情報提供活動を行うことができる。
【０１４３】
なお、以上において、コンテンツ媒介中心性を算出する式について説明したが、あくまでも一例であり、上述した以外の式を用いてコンテンツ媒介中心性が算出されるようにしてもよい。例えば、各コンテンツの、任意の指標に基づく重み係数ｗを考慮して、コンテンツ媒介中心性を算出するようにしてもよい。重み係数の指標としてはどのようなものであってもよく、例えば、コンテンツの販売価格や人気度（人気順位の逆数）等であってもよい。
【０１４４】
その場合、例えば、ノードｎsの重み係数をｗsとし、ノードｎtの重み係数をｗtとし、コンテンツ媒介中心性が、式（１）の代わりに、以下の式（２）を用いて算出される。
【０１４５】
【数２】
2007233926.tif 000004
【０１４６】
ただし、式（２）において、式（１）の場合と同様に、ｎは、対象となるノードｎi以外の２つのノードの組み合わせの数を示しており、ｎstは、ノードｎi以外の２つのノードであるノードｓとノードｔの間の、パス長が最も短いパス（最短パス）の本数を示しており、ｇi(st)は、ｎstのうち、ノードｎiを通過するパスの本数を示している。また、値ｓは値ｔより小さい。そして、さらに、ｗstは、ｗsとｗtの和を示している。
【０１４７】
つまり、式（２）に示されるように、コンテンツ媒介中心性Ce（ｎi）を求める際に、コンテンツ媒介中心性算出部６１が、ｇi(st)／ｎstに、コンテンツの重み係数に基づくパラメータ（重み係数）ｗstと乗算されるようにしてもよい。
【０１４８】
なお、以上においては、コンテンツの推薦について説明したが、上述したコンテンツ提示装置およびコンテンツ提示部は、対象となるコンテンツ群よりコンテンツを選択し提示するものであればよく、どのような目的で利用されてもよい。
【０１４９】
上述した一連の処理は、ハードウェアにより実行させることもできるし、ソフトウエアにより実行させることもできる。この場合、例えば、図１７に示されるようなパーソナルコンピュータとして構成されるようにしてもよい。
【０１５０】
図１７において、パーソナルコンピュータ６００のCPU（Central Processing Unit）６０１は、ROM（Read Only Memory）６０２に記憶されているプログラム、または記憶部６１３からRAM（Random Access Memory）６０３にロードされたプログラムに従って各種の処理を実行する。RAM６０３にはまた、CPU６０１が各種の処理を実行する上において必要なデータなども適宜記憶される。
【０１５１】
CPU６０１、ROM６０２、およびRAM６０３は、バス６０４を介して相互に接続されている。このバス６０４にはまた、入出力インタフェース６１０も接続されている。
【０１５２】
入出力インタフェース６１０には、キーボード、マウスなどよりなる入力部６１１、CRT（Cathode Ray Tube）、LCD（Liquid Crystal Display）などよりなるディスプレイ、並びにスピーカなどよりなる出力部６１２、ハードディスクなどより構成される記憶部６１３、モデムなどより構成される通信部６１４が接続されている。通信部６１４は、インターネットを含むネットワークを介しての通信処理を行う。
【０１５３】
入出力インタフェース６１０にはまた、必要に応じてドライブ６１５が接続され、磁気ディスク、光ディスク、光磁気ディスク、或いは半導体メモリなどのリムーバブルメディア６２１が適宜装着され、それらから読み出されたコンピュータプログラムが、必要に応じて記憶部６１３にインストールされる。
【０１５４】
上述した一連の処理をソフトウエアにより実行させる場合には、そのソフトウエアを構成するプログラムが、ネットワークや記録媒体からインストールされる。
【０１５５】
この記録媒体は、例えば、図１７に示されるように、装置本体とは別に、ユーザにプログラムを配信するために配布される、プログラムが記録されている磁気ディスク（フレキシブルディスクを含む）、光ディスク（CD-ROM(Compact Disk-Read Only Memory),DVD(Digital Versatile Disk)を含む）、光磁気ディスク（ＭＤ（Mini-Disk）（登録商標）を含む）、もしくは半導体メモリなどよりなるリムーバブルメディア６２１により構成されるだけでなく、装置本体に予め組み込まれた状態でユーザに配信される、プログラムが記録されているROM６０２や、記憶部６１３に含まれるハードディスクなどで構成される。
【０１５６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１５７】
また、本明細書において、システムとは、複数のデバイス（装置）により構成される装置全体を表すものである。
【０１５８】
なお、以上において、一つの装置として説明した構成を分割し、複数の装置として構成するようにしてもよい。逆に、以上において複数の装置として説明した構成をまとめて一つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。つまり、本発明の実施の形態は、上述した実施の形態に限定されるものではなく、本発明の要旨を逸脱しない範囲において種々の変更が可能である。
【産業上の利用可能性】
【０１５９】
本発明は、情報処理装置に適用することが可能である。
【図面の簡単な説明】
【０１６０】
【図１】本発明を適用したコンテンツ提示装置の構成例を示すブロック図である。
【図２】コンテンツ情報の例を示す図である。
【図３】コンテンツ情報の詳細な例を示す図である。
【図４】図１のコンテンツリスト作成部の詳細な構成例を示すブロック図である。
【図５】制御処理の流れの例を説明するフローチャートである。
【図６】コンテンツリスト作成処理の流れの例を説明するフローチャートである。
【図７】第１中継コンテンツ決定処理の流れの例を説明するフローチャートである。
【図８】第２中継コンテンツ決定処理の流れの例を説明するフローチャートである。
【図９】終了コンテンツ決定処理の流れの例を説明するフローチャートである。
【図１０】図１のコンテンツリスト作成部の他の構成例を示すブロック図である。
【図１１】コンテンツ媒介中心性リストの例を示す図である。
【図１２】第１中継コンテンツ決定処理の流れの、他の例を説明するフローチャートである。
【図１３】第２中継コンテンツ決定処理の流れの、他の例を説明するフローチャートである。
【図１４】終了コンテンツ決定処理の流れの、他の例を説明するフローチャートである。
【図１５】本発明を適用したネットワークシステムの構成例を示すブロック図である。
【図１６】本発明を適用したネットワークシステムの、他の構成例を示すブロック図である。
【図１７】本発明を適用したパーソナルコンピュータの構成例を示すブロック図である。
【符号の説明】
【０１６１】
１０  コンテンツ提示装置，  １１  制御部，  １４  データベース，  ３１  ユーザ選択グループ決定部，  ３２  コンテンツリスト作成部，  ３３  コンテンツ提示処理部，  ４１  第１中継コンテンツ決定部，  ４２  第２中継コンテンツ決定部，  ４３  終了コンテンツ決定部，  ４４  開始コンテンツ決定部，  ４５  コンテンツリスト構築部，  １２１  候補探索部，  １２２  リンク数算出部，  １２３  コンテンツ選択部，  １３１  リンク数算出部，  １３２  コンテンツ選択部，  １４１  リンク数算出部，  １４２  コンテンツ選択部，  １４３  リンク経路設定部，  ２３２  コンテンツリスト作成部，  ２４１  第１中継コンテンツ決定部，  ２４２  第２中継コンテンツ決定部，  ２４３  終了コンテンツ決定部，  ３２２  媒介中心性算出部，  ３３１  媒介中心性算出部，  ３４１  媒介中心性算出部，  ４１１  コンテンツ配信サーバ，  ４２１  配信サービス処理部，  ４２２  ログ作成部，  ４２３  販売促進処理部，  ４２４  コンテンツ提示部，  ５１１  コンテンツ授受サーバ，  ５２１  コンテンツ取得部，  ５２２  コンテンツ記憶部，  ５２３  コンテンツ管理部，  ５２４  コンテンツ供給部，  ５２５  ログ作成部，  ５２６  情報提供部，  ５２７  コンテンツ提示部
【図１】
2007233926.tif 000005
【図２】
2007233926.tif 000006
【図３】
2007233926.tif 000007
【図４】
2007233926.tif 000008
【図５】
2007233926.tif 000009
【図６】
2007233926.tif 000010
【図７】
2007233926.tif 000011
【図８】
2007233926.tif 000012
【図９】
2007233926.tif 000013
【図１０】
2007233926.tif 000014
【図１１】
2007233926.tif 000015
【図１２】
2007233926.tif 000016
【図１３】
2007233926.tif 000017
【図１４】
2007233926.tif 000018
【図１５】
2007233926.tif 000019
【図１６】
2007233926.tif 000020
【図１７】
2007233926.tif 000021